(57)【要約】【課題】上部センタを支持する昇降台をラムにクランプする。【解決手段】コラムに沿って上下動するラム４下端側に棒状のワーク下端を支持する回動可能な下部センタを設け、下部センタ上方でワーク上端を支持する上部センタを設けた昇降台22をラム４に上下摺動自在に取付け、上部及び下部センタ間にワークを介装支持すると共に、ワークの同心円上に誘導加熱コイルを外装配置する焼入れ装置において、昇降台22はラム４へのクランプ手段23を設けて成り、クランプ手段23は、昇降台22におけるラム４との摺動板25と、ラム４において摺動板25の軌道24上に沿って設けた断面Ｃ型の溝32に上下摺動自在に装着した駒片33と、基端にクランプハンドル34を設けると共に、中間部に摺動板25に当接する大径段部35ａを設け、大径段部35ａから同軸上に延出して摺動板25を遊貫する小径軸部35ｂの先端を溝32の開口部32ａを通して駒片33に螺着したクランプロッド35とから構成する。【選択図】図５
2008045184.tif 000002
【特許請求の範囲】
【請求項１】
コラムに沿って上下動するラムの下端側に棒状のワーク下端を支持する回動可能な下部センタを設け、該下部センタ上方でワーク上端を支持する上部センタを設けた昇降台をラムに上下摺動自在に取付け、上部及び下部センタ間にワークを介装支持すると共に、該ワークの同心円上に誘導加熱コイルを外装配置する焼入れ装置において、前記昇降台は、ラムへのクランプ手段を設けて成り、該クランプ手段は、昇降台におけるラムとの摺動板と、ラムにおいて摺動板の軌道上に沿って設けた断面Ｃ型の溝に上下摺動自在に装着した駒片と、基端にクランプハンドルを設けると共に、中間部に摺動板に当接する大径段部を設け、該大径段部から同軸上に延出して摺動板を遊貫する小径軸部の先端を前記溝の開口部を通して前記駒片に螺着したクランプロッドとから成ることを特徴とする焼入れ装置。
【発明の詳細な説明】
【技術分野】
【０００１】
本発明は、誘導加熱コイルを用いてワークを焼入れする焼入れ装置に関する。
【背景技術】
【０００２】
従来、特許文献１に開示される焼入れ装置では、直立したコラムに上下動自在にラムを取付け、該ラムには、下部に棒状のワーク下端を支持する回動可能な下部センタを設けると共に、該下部センタの上方でワーク上端を支持する上部センタを設けた昇降台を設けて成り、昇降台の上下位置を調整して上部及び下部センタ間にワークを挟持し、ラムを上動又は下動させて、ワークの周囲に同軸に外装配置された誘導加熱コイル内を通過させて焼入れする様に成している。
【特許文献１】特開２０００−８７１３４号公報（図１）
【発明の開示】
【発明が解決しようとする課題】
【０００３】
しかしながら、上記構成の焼入れ装置にあっては、ラムに対し昇降台が上下動自在に取付けられているだけのため、経時的使用により昇降台に取り付けられたリニアガイド、該リニアガイドを装着しているリニアレールが摩耗すると、昇降台がガタつき易く、昇降台の安定性が損なわれる。
その結果、上部及び下部センタ間にワークを挟持して下部センタを回転させると、ワークの軸芯が回転軸よりずれた状態で回転するため、ワークに焼きむらを生じ、不良率が高くなる課題を有していた。
【課題を解決するための手段】
【０００４】
本発明は、上記課題に鑑み、コラムに沿って上下動するラムの下端側に棒状のワーク下端を支持する回動可能な下部センタを設け、該回転テーブル上方でワーク上端を支持する上部センタを設けた昇降台をラムに上下摺動自在に取付け、上部及び下部センタ間にワークを介装支持すると共に、該ワークの同心円上に誘導加熱コイルを外装配置する焼入れ装置において、前記昇降台は、ラムへのクランプ手段を設けて成り、該クランプ手段は、昇降台におけるラムとの摺動板と、ラムにおいて摺動板の軌道上に沿って設けた断面Ｃ型の溝に上下摺動自在に装着した駒片と、基端にクランプハンドルを設けると共に、中間部に摺動板に当接する大径段部を設け、該大径段部から同軸上に延出して摺動板を遊貫する小径軸部の先端を前記溝の開口部を通して前記駒片に螺着したクランプロッドとから構成することを特徴とする。
【発明の効果】
【０００５】
要するに本発明は、昇降台に設けたラムへのクランプ手段を、昇降台におけるラムとの摺動板と、ラムにおいて摺動板の軌道上に沿って設けた断面Ｃ型の溝に上下摺動自在に装着した駒片と、基端にクランプハンドルを設けると共に、中間部に摺動板に当接する大径段部を設け、該大径段部から同軸上に延出して摺動板を遊貫する小径軸部の先端を前記溝の開口部を通して前記駒片に螺着したクランプロッドとから構成することにより、棒状のワークを上部及び下部センタ間に介装支持した後に、クランプハンドルの回動操作でクランプロッドが駒片を締め付ける様に回転させ、駒片と摺動板の夫々がラムの内外からラムを圧接してクランプし、かかるクランプ位置で昇降台をラムに一体的に固定せることができる。
よって、本発明によれば、経時的使用により昇降台に取り付けられたリニアガイド、該リニアガイドを装着しているリニアレールが摩耗しても、上記の様に昇降台を安定した状態でラムに確実堅固に一体固定できるため、上部センタと下部センタを同一の中心軸線上に確実に配置して、上部及び下部センタ間にワークを前記軸線上に介装支持でき、下部センタの回転時において、上部センタを支持している昇降台がガタつくことが無くなるので、ワークを芯ずれさせることなく正確に回転させて誘導加熱コイルによる良好な焼入れを可能とし、ワークの回転不良による不良品の発生を阻止できる等その実用的効果甚だ大である。
【発明を実施するための最良の形態】
【０００６】
以下本発明の実施の形態としての実施例を図面に基づいて説明する。
図１は本発明に係る焼入れ装置の一部省略正面図、図２はワークをセットした焼入れ装置の側面図、図３は図１の要部拡大図、図４は図２の一部を破断した要部拡大図、図５は図３のＡーＡ断面図である。
この焼入れ装置は、主に電動工具に使用されるシャフト等の棒状のワークＷの外周面を誘導加熱コイル１にて焼入れする装置であり、該焼入れ装置は、ワークＷを垂直に支持して誘導加熱コイル１の環状部内の中心軸線上を上下に通過させる本体２と、該本体２と別設されて誘導加熱コイル１を装備した高周波発生装置（図示せず）とから主に構成されている。
【０００７】
本体２はベース板上にコラム３を立設し、該コラム３正面には、該コラム３に沿って上下動するラム４を取付けている。
コラム３は、縦長な略四角筒状に形成されると共に、その上端には正面側へ廂状に突出した天盤５を配置し、コラム３正面の左右側縁には、その高さ方向に渡って突設した帯板６の突端面に沿って案内レール７を配設している。
【０００８】
ラム４は、コラム３より短尺な高さを有する縦長な略四角筒状に形成され、その背板4aのみをコラム３の横幅より拡幅形成し、ラム４上端には、背板4aと同幅な横幅を有すると共に、ラム４より長い前後幅を有する方形状の天盤８を配置している。
そして、上記背板4a後面の左右側の上下にスライダ９を突設し、該スライダ９をコラム３の案内レール７に上下摺動自在に装着している。
【０００９】
背板4aより後方へ突出しているラム天盤８の後部中央には送りナット10を設け、該送りナット10をコラム天盤５上における廂部よりこれを貫通して垂下した上下送りねじ11に装着している。
上下送りねじ11は、コラム天盤５に設けたラム駆動モータ12とベルト伝動により連繋されてラム駆動モータ12により駆動され、送りナット10を上下動させることで案内レール７に沿ってラム４を上下動させる。
尚、ラム天盤８の左右の夫れは、コラム３上方に適宜に取付けられたスプロケット13に巻回されたチェーン14を介してコラム３内部に配した釣合い錘15に連結している。
【００１０】
ラム４の正面下端には、前方へ長い略箱型の支持台16を突設しており、該支持台16は、その背面側が開放され、かかる開放部に対応してラム４の下端正面を開口形成し、ラム４の内部と支持台16の内部を連通している。
支持台16の上面には、ワークＷの下端を支持する２基の下部センタ17を設けている。
下部センタ17は、円柱状に形成された回転テーブル18において、その上面中心に凹設された円形穴であり、回転テーブル18は支持台16の上面に前後の夫々に回動可能に設置されている。
回転テーブル18の下部中心には、支持台16内部に突入する回転軸18ａを垂設し、該回転軸18ａの夫々と、ラム天盤８上の略中央に設けたテーブル駆動モータ19からラム天盤８を貫通突出してラム４内部を挿通した駆動軸19ａとをベルト伝動により連繋し、テーブル駆動モータ19の作動で各回転テーブル18を同一方向に回動させる。
【００１１】
ラム４の正面には、各下部センタ17の上方でワークＷ上端を支持する上部センタ20を下端に形成した２本の支持棒21を回転自在にして且つ上下動自在に貫通して設けた昇降台22を、支持台16上方でこれと平行に上下動自在に取付け、昇降台22にはラム４へのクランプ手段23を設けている。
この昇降台22は、ラム４正面中央においてその上部から支持台16上方に渡って断面凸状に突設した軌道24にスライド自在に装着した断面凹状の摺動板25を背部に設けると共に、該摺動板25の下端に前方へ長い略箱型のセンタ保持部26を突設している。
【００１２】
昇降台22の背部側は、四角枠状の昇降フレーム27に囲繞されており、該昇降フレーム27において、その上下横枠材27ａ、27ｂの夫々は摺動板25の上下端面を当接固定し、左右縦枠材27ｃ、27ｄは摺動板25の左右側縁に対し平行に離間配置している。
昇降フレーム27背部の上下の夫々にはリニアガイド28を突設し、該リニアガイド28は、ラム４の左右側面の前方にラム４の上端から支持台16の上方近傍に渡って突設したリニアレール29に摺動自在に装着している。
昇降台22と右側縦枠材27ｄとの間隙に対応する上下横枠材27ａ、27ｂの右側には、昇降台22用の送りねじ30を螺合している。
送りねじ30の上端は、ラム天盤８における前方突出部を貫通すると共に、ラム天盤８上の適所に設置した昇降台駆動モータ31とベルト伝動により連繋され、昇降台駆動モータ31により駆動する送りねじ30が、昇降フレーム27を上下動させることでリニアレール29に沿って昇降台22を上下動させる。
【００１３】
クランプ手段23は、昇降台22におけるラム４との摺動板25と、ラム４において摺動板25の軌道24上に沿って設けた断面Ｃ型の溝32に上下摺動自在に装着したＴ字ナットからなる駒片33と、クランプハンドル34を基端に設けると共に、中間部に摺動板25の正面上方に当接する大径段部35ａを設け、該大径段部35ａから同軸上に延出して摺動板25を遊貫する小径軸部35ｂの先端を溝32の開口部32ａを通して駒片33に螺着したクランプロッド35とから主に構成される。
クランプハンドル34は棒状材から成り、その基端に締結具34ａを設け、該締結具34ａにクランプロッド35の基端を挿入して締結固定することにより、クランプロッド35の基端に直角に一体的に突出固定される。
そして、図示例では、クランプハンドル34を図１において左側に傾けることで、クランプロッド35が駒片33を締め付ける様に回転し、これにより駒片33と摺動板25の夫々がラム４の内外からラム４を圧接してクランプし、昇降台22をラム４の適宜上下位置に固定する。
又、クランプハンドル34を図１において右側に傾けることにて、クランプロッド35が駒片33を緩める様に回転し、これにより駒片33と摺動板25のラム４に対する上記圧接を解除し、ラム４に対するクランプ状態が解除され、昇降台22を上下動可能な状態と成している。
【００１４】
昇降フレーム27の左右縦枠材27ｃ、27ｄ正面の夫々には、近接センサ36、36a を取付けており、左側の近接センサ36はクランプハンドル34を上記の様に左側に傾けた状態を検出すると、その検出信号を各種モータ12、19、31を電気的に接続した制御装置（図示せず）に入力し、テーブル駆動モータ19を起動可能状態と成す様に設定している。
又、右側の近接センサ36ａはクランプハンドル34を上記の様に右側に傾けた状態を検出すると、その検出信号を制御装置に入力し、昇降台駆動モータ31を起動可能状態と成す様に設定している。
尚、本実施例では、クランプロッド35における小径軸部35ｂの先端に駒片33に螺着する左螺子を形成したものを示したが、該左螺子を右螺子と成しても良く、この場合クランプハンドル34の操作は左右逆転し、左右の近接センサ36、36ａも上記と逆に設定される。
【００１５】
昇降台22（センタ保持部26）に設けた支持棒21にあっては、その上端に支持棒21の外径より大径な頭部21ａを設けると共に、該頭部21ａより所定距離下方には、一条の突条21ｂを周設している。
又、センタ保持部26上において、前後の支持棒21間には、両支持棒21を所定ストローク上下動させるシリンダ37を設けている。
このシリンダ37は、そのロッドの先端を上方に指向させると共に、該ロッド先端には前後の支持棒21へ延びる略帯状の受承板38を固定している。
そして、受承板38の前後端部の夫々には、前後端縁が開放された略Ｕ字状の切欠を設け、該切欠には、支持棒21の上方（頭部21ａと突条21ｂ間）を遊嵌している。
【００１６】
高周波発生装置は本体２に隣接配置され、これに装備された誘導加熱コイル１は、ワークＷの外径より若干大きい内径を有するＣ型に形成され、上部及び下部センタ17、20間に支持されるワークＷの同心円上に外装配置される様にラム４の左側又は右側から導入され、誘導加熱コイル１の図示しない両端に高周波電源（図示せず）から電力が供給される様に成している。
尚、高周波発生装置において、誘導加熱コイル１の近傍（図示例では下方）には、該誘導加熱コイル１と同軸の円環状の冷却箱39が配置され、該冷却箱39にはその内周壁に冷却液の噴射口を設け、該噴射口から噴射される冷却液で誘導加熱コイル１にて焼入れしたワークＷの外周面を急冷する様に成している。
【００１７】
上記の様に構成された焼入れ装置の動作について以下説明する。
先ず、ワークＷを上部及び下部センタ17、20間に介装支持するには、ラム駆動モータ12を作動してラム４を適宜位置へ上下動し、高周波発生装置の誘導加熱コイル１及び冷却箱39を下部センタ17の同心円上に配置する。
そして、クランプハンドル34を右側に傾倒させることで、クランプロッド35が駒片33を螺退方向へ移動させる様に回転するため、溝32におけるリップ部内側面32ｂに対する駒片33における腕部の圧接面33ａが狭小間隔を以て離間し、これにより摺動板25のラム４正面に対する圧接面25ａも狭小間隔を以て離間し、駒片33と摺動板25によるラム４へのクランプ状態が解除され、昇降台22を上下動可能な状態と成す。
【００１８】
かかる状態にあっては、クランプハンドル34の傾倒状態を右側の近接センサ36ａが検出し、その検出信号が制御装置に入力されることで、昇降台駆動モータ31は起動可能状態と成り、該昇降台駆動モータ31を作動させることで、昇降フレーム27と共に昇降台22を上動又は下動させて、上部センタ20をこれと下部センタ17との間隔がワークＷの長さより若干短い高さ位置へ配置させる。
続いて、シリンダ37のロッドを上動させて受承板38を介して支持棒21を上動させ、上部センタ20と下部センタ17との間隔をワークＷの長さより広げ、下部センタ17内にワークＷ下端を配置して支持させると共に、シリンダ37のロッドを下限位置まで下動させると、受承板38で途中まで支持されていた支持棒21は、その下端の上部センタ20がワークＷ上端に当接する位置で留まり、頭部21ａは受承板38から離間する。
受承板38の前後端縁の略Ｕ字状の切欠は支持棒21上方を遊嵌しているので、受承板38が頭部21ａから離間すると、支持棒21は受承板38に未接触となり、その自重で以てワークＷの上端を上部センタ20が押圧支持する。
【００１９】
この様に、上部及び下部センタ17、20間にワークＷを支持した状態において、クランプハンドル34を左側に傾倒させる。
これにより、クランプロッド35が駒片33を螺進方向へ移動させる様に回転するため、駒片33の腕部の圧接面33ａがこれに対峙する溝32のリップ部内側面32ｂを圧接すると共に、摺動板25の圧接面25ａがこれのラム４正面における対峙面を圧接し、駒片33と摺動板25の間にラム４をクランプし、昇降台22をラム４に一体的に固定する。
かかる状態にあっては、クランプハンドル34の傾倒状態を左側の近接センサ36が検出し、その検出信号が制御装置に入力されることで、テーブル駆動モータ19は起動可能状態と成る。
【００２０】
次に、テーブル駆動モータ19により、回転テーブル18を回動させてワークＷを回転させる。
この時、支持棒21（上部センタ20）は上記の様に回転自在でその自重でワークＷの上端を支持しているだけのため、上部センタ20はワークＷ上端を支持しながらワークＷと共に回転する。
テーブル駆動モータ19の駆動と共に、高周波電源から誘導加熱コイル１に通電することにより、該誘導加熱コイル１は、これの中心に位置対応するワークＷの外周面を加熱する。
【００２１】
かかる状態では、上記の様にクランプ手段23によりラム４に対し昇降台22が固定状態にあるので、上部センタ20は、下部センタ17と同軸上に確実にして正確に位置し、回転テーブル18（下部センタ17）が回動しても、上部センタ20は下部センタ17の回転軸よりずれるとなくワークＷ上端を支持しながら回転するため、ワークＷの軸芯は上部及び下部センタ17、20の回転軸よりずれることなく回転でき、誘導加熱コイル１に加熱されたワークＷの外周面はムラなく均等に加熱される。
【００２２】
この加熱後、ラム駆動モータ12の作動にて駆動するラム４にてワークＷの加熱された焼入れ部位を冷却箱39に位置対応させ、かかる焼入れ部位に冷却液を噴射することにより急冷して焼入れする。
この様にワークＷを誘導加熱コイル１と冷却箱39に順次に配置する様に上動又は下動（図示例では下動）させ、ワークＷの外周面をその全長に渡って繰り返し焼入れする。
【図面の簡単な説明】
【００２３】
【図１】焼入れ装置の一部省略正面図である。
【図２】ワークをセットした焼入れ装置の側面図である。
【図３】図１の要部拡大図である。
【図４】図２の一部を破断した要部拡大図である。
【図５】図３のＡーＡ断面図である。
【符号の説明】
【００２４】
１    誘導加熱コイル
３    コラム
４    ラム
17    下部センタ
20    上部センタ
22    昇降台
23    クランプ手段
24    軌道
25    摺動板
32    溝
32ａ  開口部
33    駒片
34    クランプハンドル
35    クランプロッド
35ａ  大径段部
35ｂ  小径軸部
Ｗ    ワーク
【図１】
2008045184.tif 000003
【図２】
2008045184.tif 000004
【図３】
2008045184.tif 000005
【図４】
2008045184.tif 000006
【図５】
2008045184.tif 000007